(57)【要約】【課題】部品点数および工数の増大を抑制しつつ、規定精度内に収まるように検出電圧を調整すること。【解決手段】検出回路には、検出電圧を設定する検出電圧設定部３、検出電圧の最小値を調整する最小電圧位置調整部６、検出電圧の最大値を調整する最大電圧位置調整部９および検出電圧を比較演算回路に出力する出力抵抗１０を設ける。【選択図】        図２
2011050193.tif 000002
【特許請求の範囲】
【請求項１】
検出電圧を設定する検出電圧設定部と、
前記検出電圧の最小値を調整する最小電圧位置調整部と、
前記検出電圧の最大値を調整する最大電圧位置調整部とを備えることを特徴とする電圧検出リレー。
【請求項２】
前記検出電圧設定部は、
前記検出電圧を設定する主可変抵抗器と、
前記主可変抵抗器と直列に接続され、前記主可変抵抗器の抵抗値が小さい時に前記検出電圧の誤差を低減させる主固定抵抗器とを備え、
前記最小電圧位置調整部は、
前記主可変抵抗器と並列に接続され、前記検出電圧の最小値を調整する最小可変抵抗器と、
前記最小可変抵抗器と直列に接続され、前記最小可変抵抗器の抵抗値が小さい時に前記検出電圧の誤差を低減させる最小固定抵抗器とを備え、
前記最大電圧位置調整部は、
前記主可変抵抗器と直列に接続され、前記検出電圧の最大値を調整する最大可変抵抗器と、
前記最大可変抵抗器と直列に接続され、前記最大可変抵抗器の抵抗値が小さい時に前記検出電圧の誤差を低減させる最大固定抵抗器とを備えることを特徴とする請求項１に記載の電圧検出リレー。
【請求項３】
前記主可変抵抗器と連動するつまみと、
前記つまみに対する前記検出電圧の目盛が印刷表示された表示板とをさらに備えることを特徴とする請求項２に記載の電圧検出リレー。
【請求項４】
電力系統の回路電圧を検出する検出部電源回路と、
前記検出電圧設定部、前記最小電圧位置調整部および前記最大電圧位置調整部が設けられ、前記検出部電源回路にて検出された回路電圧に基づいて前記検出電圧を設定する検出回路と、
基準電圧を生成する基準電圧生成回路と、
前記検出回路にて設定された検出電圧と前記基準電圧とを比較する比較演算回路と、
前記比較演算回路による比較結果に基づいて、過電圧あるいは不足電圧を検出する出力回路と、
前記基準電圧生成回路、前記比較演算回路および前記出力回路の電源電圧を生成する電源回路とを備えることを特徴とする請求項１または２に記載の電圧検出リレー。
【発明の詳細な説明】
【技術分野】
【０００１】
電力系統の過電圧あるいは不足電圧を検出する電圧検出リレーに関する。
【背景技術】
【０００２】
電力系統の過電圧あるいは不足電圧を検出するものとして電圧検出リレーがある。この電圧検出リレーでは、電力系統の検出電圧が基準電圧と比較され、電力系統の検出電圧が基準電圧より大きいと、過電圧が検出され、電力系統の検出電圧が基準電圧より小さいと、不足電圧が検出される。
【０００３】
ここで、電力系統の過電圧あるいは不足電圧を検出する検出電圧を高精度に調整できるようにする場合、表示板に印字されている数字で示される電圧をそれぞれ印加する。そして、検出電圧を定める主可変抵抗器と連動するつまみを操作し、その時のつまみの位置にマジックペン等を使用して目盛をマーキングする。
【０００４】
また、特許文献１には、ＡＤ変換の基準となる可変電圧を少ない部品で高精度に調整可能な可変電圧発生回路が開示されている。
【先行技術文献】
【特許文献】
【０００５】
【特許文献１】特開２００６−１２７２４７号公報
【発明の概要】
【発明が解決しようとする課題】
【０００６】
しかしながら、上記従来の技術によれば、量産するに当たり、製品１台ごとに全ての表示電圧を印加し、マジックペン等を使用してマーキングする必要があり、工数がかかるという問題があった。
【０００７】
また、使用者にとって目盛間の中間電圧に設定する際に誤差が生じやすい上に、製品ごとに目盛位置が異なり、表示板に印字されている数字の位置と大きくすれる可能性があった。
【０００８】
また、特許文献１に開示された方法では、高い精度を得るために、多数の抵抗、スイッチ回路および演算増幅器が必要であり、多くの電子部品が必要になるという問題があった。
【０００９】
本発明は、上記に鑑みてなされたものであって、部品点数および工数の増大を抑制しつつ、規定精度内に収まるように検出電圧を調整することが可能な電圧検出リレーを得ることを目的とする。
【課題を解決するための手段】
【００１０】
上述した課題を解決し、目的を達成するために、本発明の電圧検出リレーは、検出電圧を設定する検出電圧設定部と、前記検出電圧の最小値を調整する最小電圧位置調整部と、前記検出電圧の最大値を調整する最大電圧位置調整部とを備えることを特徴とする。
【発明の効果】
【００１１】
この発明によれば、部品点数および工数の増大を抑制しつつ、規定精度内に収まるように検出電圧を調整することが可能という効果を奏する。
【図面の簡単な説明】
【００１２】
【図１】図１は、本発明に係る電圧検出リレーの実施の形態の概略構成を示すブロック図である。
【図２】図２は、図１の電圧検出リレーの検出回路の概略構成を示す回路図である。
【図３】図３は、図１の電圧検出リレーの表示板の概略構成を示す正面図である。
【発明を実施するための形態】
【００１３】
以下に、本発明に係る電圧検出リレーの実施の形態を図面に基づいて詳細に説明する。なお、この実施の形態によりこの発明が限定されるものではない。
【００１４】
図１は、本発明に係る電圧検出リレーの実施の形態の概略構成を示すブロック図である。図１において、電圧検出リレーには、電力系統の回路電圧を検出する検出部電源回路２１、検出部電源回路２１にて検出された回路電圧に基づいて検出電圧を設定する検出回路２２、基準電圧を生成する基準電圧生成回路２４、検出回路２２にて設定された検出電圧と基準電圧とを比較する比較演算回路２５、比較演算回路２５による比較結果に基づいて、過電圧あるいは不足電圧を検出する出力回路２６、基準電圧生成回路２４と比較演算回路２５と出力回路２６の電源電圧を生成する電源回路２３が設けられている。
【００１５】
そして、電力系統の回路電圧が検出入力として検出部電源回路２１に与えられると、整流、平滑および電圧降下された後、検出回路２２に入力される。そして、検出回路２２において、検出部電源回路２１からの出力に基づいて検出電圧が設定され、比較演算回路２５に入力される。そして、比較演算回路２５において、検出回路２２にて設定された検出電圧が、基準電圧生成回路２４にて生成された基準電圧と比較され、検出電圧が基準電圧より大きいと、比較演算回路２５から出力回路２６に信号が出力され、過電圧が検出される。一方、検出電圧が基準電圧より小さいと、比較演算回路２５から出力回路２６に信号が出力されず、不足電圧が検出される。
【００１６】
図２は、図１の電圧検出リレーの検出回路２２の概略構成を示す回路図である。図２において、検出回路２２には、検出電圧を設定する検出電圧設定部３、検出電圧の最小値を調整する最小電圧位置調整部６、検出電圧の最大値を調整する最大電圧位置調整部９および検出電圧を図１の比較演算回路２５に出力する出力抵抗１０が設けられている。
【００１７】
ここで、検出電圧設定部３には、検出電圧を設定する主可変抵抗器１および主可変抵抗器１の抵抗値が小さい時に検出電圧の誤差を低減させる主固定抵抗器２が設けられている。最小電圧位置調整部６には、検出電圧の最小値を調整する最小可変抵抗器４および最小可変抵抗器４の抵抗値が小さい時に検出電圧の誤差を低減させる最小固定抵抗器５が設けられている。最大電圧位置調整部９には、検出電圧の最大値を調整する最大可変抵抗器７および最大可変抵抗器７の抵抗値が小さい時に検出電圧の誤差を低減させる最大固定抵抗器８が設けられている。
【００１８】
そして、主可変抵抗器１と主固定抵抗器２とは直列に接続され、主可変抵抗器１と最小可変抵抗器４とは並列に接続され、最小可変抵抗器４と最小固定抵抗器５とは直列に接続され、主可変抵抗器１と最大可変抵抗器７とは直列に接続され、最大可変抵抗器７と最大固定抵抗器８とは直列に接続されている。また、主固定抵抗器２と最小固定抵抗器５との間には出力抵抗１０が接続されている。
【００１９】
図３は、図１の電圧検出リレーの表示板の概略構成を示す正面図である。図３において、表示板１２には、主可変抵抗器１と連動するつまみ１１が設けられ、つまみ１１に対する検出電圧の目盛が印刷表示されている。
【００２０】
そして、表示板１２に印刷表示されている電圧の最小値の目盛位置につまみ１２を回し、その電圧で図１の出力回路２６のリレーの接点が切り替わるように最小可変抵抗器４を調整する。
【００２１】
次に、表示板１２に印刷表示されている電圧の最大値の目盛位置につまみ１２を回し、検出電圧を測定することで、出力回路２６のリレーの接点が規定精度内で切り替わるか確認する。そして、出力回路２６のリレーの接点が規定精度内で切り替わる場合、検出電圧の調整を終了する。一方、出力回路２６のリレーの接点が規定精度内で切り替わらない場合、出力回路２６のリレーの接点が規定精度内で切り替わるように最大可変抵抗器７を調整する。
【００２２】
ここで、最大可変抵抗器７は主可変抵抗器１の抵抗値のバラツキを調整するものであるため、最大可変抵抗器７の抵抗値は主可変抵抗器１の抵抗値より小さくなるように設定される。また、検出電圧が最小値の時には、主可変抵抗器１は抵抗値が小さく、最大電圧位置調整部９の抵抗値が大きくなる。このため、抵抗値の変化に対して検出電圧の最小値の変化が小さくなり、検出電圧の最大値で最大可変抵抗器７の抵抗値を調整しても、規定精度を保つことができる。
【００２３】
この結果、最小検出電圧位置と主可変抵抗器１の抵抗値の傾きを安定させることができ、規定精度内に収まるように最小目盛位置と最大目盛位置の２点で検出電圧の調整を行うことができる。また、検出電圧最小値と検出電圧最大値の電圧のみ印加すればよいため、工数を大幅に低減することができる。さらに、目盛を予め印刷表示することができるようになり、使用者は検出電圧を容易に設定することが可能となる。
【産業上の利用可能性】
【００２４】
以上のように本発明に係る電圧検出リレーは、規定精度内に収まるように最小目盛位置と最大目盛位置の２点で検出電圧の調整を行うことができ、部品点数および工数の増大を抑制しつつ、電力系統の過電圧あるいは不足電圧を精度よく検出する方法に適している。
【符号の説明】
【００２５】
１  主可変抵抗器
２  主固定抵抗器
３  検出電圧設定部
４  最小可変抵抗器
５  最小固定抵抗器
６  最小電圧位置調整部
７  最大可変抵抗器
８  最大固定抵抗器
９  最大電圧位置調整部
１０  出力抵抗
１１  つまみ
１２  表示板
２１  検出部電源回路
２２  検出回路
２３  電源回路
２４  基準電圧生成回路
２５  比較演算回路
２６  出力回路
【図１】
2011050193.tif 000003
【図２】
2011050193.tif 000004
【図３】
2011050193.tif 000005